(57)【要約】【課題】燃料が液体で取り扱いが容易なガソリンを用いる場合の燃料改質の場合、石油から精製したガソリンには多くの硫黄化合物が含まれているために、改質触媒を被毒してカーボン析出などの厄介な問題を引き起こす。【解決手段】燃料を供給する燃料供給装置４１と、燃料を水素リッチなガスに改質する燃料改質装置４２と、水素リッチなガス中の水素と空気中の酸素とを電気化学的に反応させて発電する燃料電池本体４３とを備えた燃料電池であって、燃料供給装置４１の燃料出口側と燃料改質装置４２の燃料供給側とを接続する燃料供給パイプ４６に、所定の流速で流動する燃料が有する炭化水素化合物、硫黄化合物等を磁気力により細分化し且つイオン化して、燃料の改善処理を行う燃料処理装置Ａを設けるようにした。【選択図】　図１
2004119358.tif 000002
【特許請求の範囲】
【請求項１】
燃料を供給する燃料供給手段と、前記燃料を水素リッチなガスに改質する燃料改質手段と、前記水素リッチなガス中の水素と空気中の酸素とを電気化学的に反応させて発電する燃料電池本体とを備えた燃料電池であって、
前記燃料供給手段の燃料出口側と前記燃料改質手段の燃料供給側とを接続する燃料供給路に、所定の流速で流動する前記燃料が有する炭化水素化合物、硫黄化合物等を磁気力により細分化し且つイオン化して、前記燃料の改善処理を行う燃料処理装置を設けるようにしたことを特徴とする燃料電池。
【請求項２】
前記燃料処理装置が、角立方体の一方の異方性磁気体を磁性体製の一方の磁石保持ケースに収容した一方の磁気処理体と、角立方体の他方の異方性磁気体を磁性体製の他方の磁石保持ケースに収容し且つこの他方の磁石保持ケースに前記一方の磁石保持ケースをその合せ目において磁気誘導複数閉回路を構成するように磁気吸着させて前記一方の磁気処理体に接続される他方の磁気処理体とを備え、前記一方及び他方の磁石保持ケースの合せ目に、前記燃料が流動する非磁性体製の前記接続管を挟み込んで前記合せ目において互いに磁気吸着し、前記一方及び他方の磁石保持ケースを前記磁気誘導複数閉回路の一部にすると共に、前記一方の異方性磁気体と前記他方の異方性磁気体との磁極間において前記液体燃料の流れに対して直角な磁界を形成し前記液体燃料に前記磁界を印加するものであることを特徴とする請求項１に記載の燃料電池。
【請求項３】
前記接続管が、非鉄金属からなる外側管体と、この外側管体の内部に収容され且つ前記外側管体の内壁部との間に、前記接続管の入口側から出口側に抜ける流路を形成し且つ前記外側管体と異なる非鉄金属からなる内側管体とで構成してあり、前記外部管体と前記内部管体との間には、２種類の非鉄金属のそれぞれが有する電位（Ｈ＝０Ｖ基準の標準電位）の差（電位差）が存在することを特徴とする請求項２に記載の燃料電池。
【請求項４】
前記外側管体が、単極電位がプラス電位の一価と二価の物理化学的性質を有する非鉄金属管で構成されており、前記内側収容体が、単極電位がマイナス電位で一価の物理化学的性質を有する非鉄金属管で構成されていることを特徴とする請求項３に記載の燃料電池。
【請求項５】
前記２種類の非鉄金属が、金（Ａｕ）とチタン（Ｔｉ）の場合、金（Ａｕ）とアルミニウム（Ａｌ）の場合、プラチナ（Ｐｔ）とチタン（Ｔｉ）の場合、プラチナ（Ｐｔ）とアルミニウム（Ａｌ）の場合、銀（Ａｇ）とチタン（Ｔｉ）の場合のいずれか一つであることを特徴とする請求項４に記載の燃料電池。
【請求項６】
請求項１乃至請求項５のいずれかの一に記載の燃料電池を組み込んだ電力発生システム。
【発明の詳細な説明】
【０００１】
【発明の属する技術分野】
本発明は、燃料電池に使用する燃料として取り扱いが容易な、例えばメタノール、ガソリン等の燃料の「質」を燃料電池で使いやすいように「改良」し得て、燃料が有する炭化水素化合物、硫黄化合物等を減少させる燃料電池と、この燃料電池を利用した電力発生システムに関するものである。
【０００２】
【従来の技術】
磁気処理は、液体燃料改質による燃料効率の改善など、広い分野の改善に利用され得ることが知られている。
【０００３】
上記の用途に応用される理由は、炭化水素化合物の分子を含む液体燃料の流れにおいて、直角に磁界が印加されることにより、いわゆるローレンツ力を発生し、このローレンツ力は中性である液体燃料分子には働かず、荷電粒子のみに働くので、液体燃料分子と荷電粒子とが分離することになり、したがって、液体燃料中の各種原子の配列、分布などの構造が変化して液体燃料の性質が変化するために、密度、表面張力、粘度、誘電率、電解質の溶解速度などの増大、または、電気伝導度、気体溶解度などの上昇など種々の効果を生じ、炭化水素化合物の分子を細分化し、液体燃料のオクタン価やセタン指数の変化による燃料の活性化を実現する。
【０００４】
この磁気処理装置を液体燃料の改質処理装置として利用することが試みられている。本出願人は、先に特願平１０−１４９２２５号において、炭化水素化合物の分子を含む液体燃料の流れに対して直角な磁界を形成し印加する排出ガスの有害物質処理装置を提唱し、また、特願２０００−６６８４号において、自動車等が排出する排気ガス中の一酸化炭素（ＣＯ）、炭化水素（ＨＣ）及び窒素酸化物（ＮＯＸ）、黒煙等の有害物質を減少せしむる排出ガスの有害物質処理装置を提唱し、また、特願２００１−１８３３９４号において、自動車等が排出する排気ガス中の一酸化炭素（ＣＯ）、炭化水素（ＨＣ）、硫黄酸化物（ＳＯｘ）及び窒素酸化物（ＮＯｘ）、黒煙等の有害物質を減少せしむる液体燃料の活性化による排出ガス抑制装置を提唱した。
【０００５】
上記したいずれの磁気処理装置も、液体燃料の流れを磁界に晒すために、この液体燃料を流す接続管を使用している。本出願人は、鋭意研究の結果、この接続管として、非鉄金属からなる外側管体と、この外側管体の内部に収容され且つ外側管体の内壁部との間に、接続管の入口側から出口側に抜ける流路を形成し且つ外側管体と異なる非鉄金属からなる内側管体とで構成し外側管体と内側管体との間に、２種類の非鉄金属のそれぞれが有する電位（Ｈ＝０Ｖとした場合の基準の標準電位）の差（電位差）を存在させることで、液体燃料の硫黄化合物等の削減や炭素化合物の削減を、それぞれに促進させることを見出した。
【０００６】
【発明が解決しようとする課題】
燃料電池に使用する燃料は多様であり、天然ガス、メタノール、ナフサ、石炭、ガソリン等の燃料が使用される。この燃料電池の燃料改質装置は、燃料の「質」を燃料電池で使いやすいように「改良」するための装置であり、燃料が液体で取り扱いが容易なガソリンを用いる場合の燃料改質の場合、石油から精製したガソリンには多くの硫黄化合物が含まれているために、改質触媒を被毒してカーボン析出などの厄介な問題を引き起こす。
【０００７】
したがって、脱硫器で硫黄化合物を取り除くか、硫黄化合物を含まないガソリンを用いる必要がある。しかも、硫黄化合物を完全に取り除くことができたとしても、市販されているガソリンを改質することは困難である。それは芳香族の炭化水素をうまく改質できる触媒がないためである。
【０００８】
また、改質しきれなかった芳香族の炭化水素や中間生成物が高分子電解質形燃料電池（ＰＥＦＣ）に供給されると、燃料電池を劣化させてしまうので、改質ガスからこれらの成分を除去する必要がある。
【０００９】
本発明は上記の問題点に着目して成されたものであって、その第１の目的とするところは、燃料改質手段による燃料の改質の向上を促進させることができるようにした燃料電池を提供することにある。
【００１０】
また、本発明の第２の目的とするところは、液体燃料としての、例えばガソリン、メタノール等を燃料電池により利用しやすくすることができて、経済的な発電が可能な電力発生システムを提供することにある。
【００１１】
【課題を解決するための手段】
上記の第１の目的を達成するために、本発明に係る燃料電池は、燃料を供給する燃料供給手段と、燃料を水素リッチなガスに改質する燃料改質手段と、水素リッチなガス中の水素と空気中の酸素とを電気化学的に反応させて発電する燃料電池本体とを備えた燃料電池であって、燃料供給手段の燃料出口側と燃料改質手段の燃料供給側とを接続する燃料供給路に、所定の流速で流動する燃料が有する炭化水素化合物、硫黄化合物等を磁気力により細分化し且つイオン化して、燃料の改善処理を行う燃料処理装置を設けるようにしたものである。
【００１２】
かかる構成により、燃料が有する炭素水素化合物、硫黄化合物等を、燃料自体が有する流速と磁気力により細分化し且つイオン化して、燃料改質手段による燃料の改質の向上を促進させることができる。
【００１３】
そして、燃料が、例えば、ガソリンのような液体燃料の場合でも、このガソリンを燃料電池の燃料として使用することが可能になる。
【００１４】
また、本発明に係る燃料電池は、上記した本発明に係る燃料電池において、燃料処理装置が、角立方体の一方の異方性磁気体を磁性体製の一方の磁石保持ケースに収容した一方の磁気処理体と、角立方体の他方の異方性磁気体を磁性体製の他方の磁石保持ケースに収容し且つこの他方の磁石保持ケースに一方の磁石保持ケースをその合せ目において磁気誘導複数閉回路を構成するように磁気吸着させて一方の磁気処理体に接続される他方の磁気処理体とを備え、一方及び他方の磁石保持ケースの合せ目に、燃料が流動する非磁性体製の接続管を挟み込んで合せ目において互いに磁気吸着し、一方及び他方の磁石保持ケースを磁気誘導複数閉回路の一部にすると共に、一方の異方性磁気体と他方の異方性磁気体との磁極間において液体燃料の流れに対して直角な磁界を形成し液体燃料に磁界を印加するものである。
【００１５】
かかる構成により、液体燃料に、例えば、毎秒１．２ｍから１．６ｍの流速を与えることで、この液体燃料が流れる管路内で、液体燃料である炭化水素化合物、液体燃料が含む硫黄化合物等に微量に含有する金属元素（カルシウム、ナトリウム、マグネシウム、カリウム、アルミニュム、鉄、チタン）等の帯電体（荷電粒子）に、静電気（例えば、毎秒１．２ｍでは０．０６ｍＡ、流速毎秒１．６ｍでは０．０８ｍＡ）が発生し、接続管において外側管体と内側管体との間に電位差が発生することで炭化水素化合物、硫黄化合物等の結合を切離状態（イオン化）にさせると共に、一方の異方性磁気体と他方の異方性磁気体との磁極間に、例えば６０００ガウスから８０００ガウスの磁界の磁気を接続管に印加することで起電力を発生させて帯電体をイオン化させることができる。
【００１６】
このように、炭化水素化合物、硫黄化合物等の結合を切離状態（イオン化）にさせ、また、帯電体をイオン化させて、炭化水素化合物、硫黄化合物等の削減が促進されるようになり、燃料改質手段による燃料の改質の向上を促進させることができる。
【００１７】
また、本発明に係る燃料電池は、上記した本発明に係る燃料電池において、接続管が、非鉄金属からなる外側管体と、この外側管体の内部に収容され且つ外側管体の内壁部との間に、接続管の入口側から出口側に抜ける流路を形成し且つ外側管体と異なる非鉄金属からなる内側管体とで構成してあり、外部管体と内部管体との間には、２種類の非鉄金属のそれぞれが有する電位（Ｈ＝０Ｖ基準の標準電位）の差（電位差）が存在するものである。
【００１８】
また、本発明に係る燃料電池は、上記した本発明に係る燃料電池において、外側管体が、単極電位がプラス電位の一価と二価の物理化学的性質を有する非鉄金属管で構成されており、内側収容体が、単極電位がマイナス電位で一価の物理化学的性質を有する非鉄金属管で構成されているものである。
【００１９】
かかる構成により、外側管体が、単極電位がプラス電位の一価と二価の物理化学的性質を有する非鉄金属管で構成されており、内側収容体が、単極電位がマイナス電位で一価の物理化学的性質を有する非鉄金属管で構成されているために、２種類の非鉄金属のそれぞれが有する電位（Ｈ＝０Ｖ基準の標準電位）の差（電位差）を確実に発生させることができる。このために、より炭化水素化合物、硫黄化合物等の結合を切離状態（イオン化）にさせることができる。
【００２０】
また、本発明に係る燃料電池は、上記した本発明に係る燃料電池において、２種類の非鉄金属が、金（Ａｕ）とチタン（Ｔｉ）の場合、金（Ａｕ）とアルミニウム（Ａｌ）の場合、プラチナ（Ｐｔ）とチタン（Ｔｉ）の場合、プラチナ（Ｐｔ）とアルミニウム（Ａｌ）の場合、銀（Ａｇ）とチタン（Ｔｉ）の場合のいずれか一つである。
【００２１】
かかる構成により、２種類の非鉄金属が、金（Ａｕ）とチタン（Ｔｉ）の場合、金（Ａｕ）とアルミニウム（Ａｌ）の場合、プラチナ（Ｐｔ）とチタン（Ｔｉ）の場合、プラチナ（Ｐｔ）とアルミニウム（Ａｌ）の場合、銀（Ａｇ）とチタン（Ｔｉ）の場合、銅（Ｃｕ）とチタン（Ｔｉ）の場合のいずれか一つであることにより、２種類の非鉄金属のそれぞれが有する電位（Ｈ＝０Ｖ基準の標準電位）の差（電位差）を確実に発生させることができる。このために、より炭化水素化合物、硫黄化合物等の結合を切離状態（イオン化）にさせることができる。
【００２２】
また、　上記の第２の目的を達成するために、本発明に係る電力発生システムは、請求項１乃至請求項５のいずれかの一に記載の燃料電池を組み込んだ電力発生システムである。
【００２３】
かかる構成により、液体燃料としてのガソリン、メタノール等を燃料電池により利用しやすくすることができて、経済的な発電が可能な電力発生システムを提供することができる。
【００２４】
【発明の実施の形態】
以下、本発明の実施の形態例を図面を参照して説明する。
【００２５】
図１は本発明に係る燃料電池の構成説明図、図２は燃料処理装置の斜視図、図３は同燃料処理装置の側面図、図４は図３のＸ−Ｘ線に沿う断面図である。
【００２６】
燃料電池４０は、図１に示すようにガソリンなどの燃料（液体燃料）を供給する燃料供給装置（燃料供給手段）４１と、燃料を水素リッチ（水素が豊富）なガスに改質する燃料改質装置（燃料改質手段）４２と、水素リッチなガス中の水素と空気中の酸素とを電気化学的に反応させて発電する燃料電池本体４３と、燃料電池本体４３で発電された直流電力を交流電力に変換する電力変換装置（インバータ）４４と、燃料改質装置４２、燃料電池本体４３及び電力変換装置４４を相互に関連付けて適正に作動させる制御装置４５とから構成してある。
【００２７】
燃料供給装置４１の燃料出口側は燃料供給パイプ（燃料供給路）４６を介して燃料改質装置４２の燃料供給側に接続してあり、この燃料供給パイプ４６に燃料処理装置Ａが設けてある。
【００２８】
この燃料処理装置Ａを図２乃至図６に示す。燃料処理装置Ａは磁気処理本体Ａ−１を有しており、この磁気処理本体Ａ−１は、一方の磁気処理体１と、他方の磁気処理体２と、接続管２４とで構成してある。
【００２９】
一方の磁気処理体１と他方の磁気処理体２とは同構成である。この一方の磁気処理体１は、図６に示すように軟鉄材料から成るボックス形状の一方の磁石保持ケースである磁石保持ケース３を有しており、この磁石保持ケース３は、底面部３Ａと左、右面部３Ｂ、３Ｃと前、後面部３Ｄ、３Ｅとを有している。また、前、後面部３Ｄ、３Ｅの辺縁部には半円状の溝部６が形成してある。そして、磁石保持ケース３の底面部３Ａの内面には、角立方体の一方の異方性磁気体である四角柱状の永久磁石７が固着してあり、また、磁石保持ケース３内には、非磁性材料である合成樹脂、例えばエポキシ樹脂より成る充填材８が充填してあり、この充填材８の中央に永久磁石７が表出している。この場合、磁石保持ケース３の角部は、曲げ角度が５６度以上のアールにしてあり、磁気漏れを防ぐようにしてある。
【００３０】
他方の磁気処理体２は一方の磁気処理体１と同構成ではあるが、説明の便宜上異なる符号を付す。すなわち、他方の磁気処理体２は、軟鉄材料から成るボックス形状の他方の磁石保持ケースである磁石保持ケース３−１を有しており、この磁石保持ケース３−１は、底面部３Ａ−１と左、右面部３Ｂ−１、３Ｃ−１と前、後面部３Ｄ−１、３Ｅ−１とを有している。また前、後面部３Ｄ−１、３Ｅ−１の辺縁部には半円状の溝部６−１が形成してある。そして、磁石保持ケース３−１の底面部３Ａ−１の内面には、角立方体の他方の異方性磁気体である四角柱状の永久磁石７−１が固着してあり、また、磁石保持ケース３−１内には合成樹脂、例えばエポキシ樹脂より成る非磁性充填材８−１が充填してあり、この非磁性充填材８−１の中央に永久磁石７−１が表出している。
【００３１】
そして、磁気処理本体Ａ−１は、一方の磁気処理体１と他方の磁気処理体２とを、処理対象としての液体燃料を流す非磁性体で製作された接続管２４を挟んだ状態で互いに連結して構成される。
【００３２】
接続管２４は、外側管体２４Ａと内側収容体である内側管体２４Ｂとで構成してある。外側管体２４Ａはイオン化傾向の大きい物質もしくはイオン化傾向の小さい物質を素材した非鉄金属で作成されている。このイオン化傾向の大きい物質としてはアルミニウム（Ａｌ）があり、このアルミニウム（Ａｌ）を素材にして作成されたアルミニウム（Ａｌ）製の管体が外側管体２４Ａに用いられる。
【００３３】
また、イオン化傾向の小さい物質としては銅（Ｃｕ）、金（Ａｕ）、銀（Ａｇ）、プラチナ（Ｐｔ）等が該当し、銅（Ｃｕ）、金（Ａｕ）、銀（Ａｇ）、プラチナ（Ｐｔ）を素材とする管体の使用が可能であり、特に、銅（Ｃｕ）、金（Ａｕ）はいずれも単極電位が一価と二価の物理化学的性質を有するために、銅（Ｃｕ）、金（Ａｕ）を素材にして作成された金製の管体がそれぞれに外側管体２４Ａに用いられる。そして、外側管体２４Ａの両側部にはジョイント部９が設けてある。
【００３４】
内側管体２４Ｂは、チタン（Ｔｉ）、タングステン（Ｗ）等の単極電位がマイナス電位で一価の物理化学的性質を有する非鉄金属管、アルミニウム（Ａｌ）等の非鉄金属管が使用される。
【００３５】
そして、外側管体２４Ａ内に内側管体２４Ｂを同心的で収容した状態で、外側管体２４Ａの中央部において、互いに対向する部位を押し潰し、これらの押潰部３０で内側管体２４Ｂを挾み込むことで、この内側管体２４Ｂが外側管体２４Ａ内に同心的に収容固定してある。この場合、内、外側管体２４Ｂ、２４Ａ間には、押潰部３０を除いた部位の部分で外側流路３１が形成してあり、また、内側管体２４Ｂ内には内部流路３２が形成してある。
【００３６】
一方の磁気処理体１と他方の磁気処理体２とは、図４に示すように、磁石保持ケース３、３−１のそれぞれの合せ目（縁部）３ａ、３ａ−１で合わされる。また、接続管２４は、半円状の溝部６、６−１が成すパイプ挟込み部である円形孔を貫通しており、一方の磁気処理体１の永久磁石７と他方の磁気処理体２の永久磁石７−１とは接続管２４を挟んで対向していて、永久磁石７の対向端部７ａはＳ極に、永久磁石７−１の対向端部７ａ−１はＮ極にそれぞれなる。
【００３７】
この場合、磁石保持ケース３、３−１は連続する枠体を構成しており、この枠体は、いわゆる磁気回路の一部を形成する。すなわち、一方の磁気処理体１の永久磁石７の対向端部（Ｓ極）７ａから永久磁石７−１の対向端部（Ｎ極）７ａ−１に向かって磁束密度の高い（６０００ガウス〜８０００ガウス）の磁場が形成されて、２つの磁力線Ｆは接続管２４を貫き、枠体１０を通過して永久磁石７に収束される磁気回路（磁気誘導複数閉回路）が構成される。
【００３８】
この磁気回路の場合、磁石保持ケース３、３−１の角部は、曲げ角度が５６度以上のアールにしてあるために、磁気漏れを無くし閉回路にすることにより、磁気効率を向上させている。
【００３９】
このように磁気回路に発生した磁力線Ｆは接続管２４を貫き、この接続管２４内の内外流路３２、３１を流れる処理対象としての液体燃料の流れに対して直角な磁界を形成し印加する。
【００４０】
したがって、炭化水素化合物、硫黄化合物等の分子を含む液体燃料（例えば、ガソリン）の流れに、直角に磁気（磁力線Ｆ）が印加されることにより、いわゆるローレンツ力を発生し、炭化水素化合物、硫黄化合物等の分子をイオン化し細分化することができる。すなわち、液体燃料の炭化水素化合物を磁気反応させてカーボンクラスターを細分化し、硫黄化合物等を細分化し且つイオン化する。
【００４１】
接続管２４の外側管体２４Ａは、その内径が、例えば５ｍｍから６ｍｍであり、外径は、例えば７ｍｍから８ｍｍであり、また、内側管体２４Ｂは、その内径が、例えば３ｍｍ程度であり、外径は、例えば４ｍｍ程度である。そして、内、外流路３２、３１を流れる液体燃料の流速は、例えば毎秒１．２ｍから１．６ｍであり、液体燃料の燃料圧力は２ｋｇから３ｋｇであって、液体燃料の吐出量は毎時９０リットルから１２０リットルである。
【００４２】
液体燃料に毎秒１．２ｍから１．６ｍの流速を与えることで、この液体燃料が流れる接続管２４内で、液体燃料である炭化水素化合物に微量に含有する金属元素（カルシウム、ナトリウム、マグネシウム、カリウム、アルミニュム、鉄、チタン）等の帯電体（荷電粒子）に、静電気（流速毎秒１．２ｍでは０．０６ｍＡ、流速毎秒１．６ｍでは０．０８ｍＡ）が発生する。
【００４３】
また、外側管体２４Ａが、単極電位がプラス電位の一価と二価の物理化学的性質を有する金（Ａｕ）（金Ａｕの単極電位は１．７）で作成されており、内側管体２４Ｂが、単極電位がマイナス電位で一価の物理化学的性質を有するチタンＴｉ（チタンＴｉの単極電位は−１．７５）で作成するようにした場合に、外側管体２４Ａと内側管体２４Ｂとの間に電位差が発生する。
【００４４】
即ち、２種類の非鉄金属のそれぞれが有する電位（Ｈ＝０Ｖとした場合の基準の標準電位）の差（電位差）が存在する。この電位差の存在により電池が作成されているのであるが、この電位差が炭化水素化合物、硫黄化合物等の結合を切離状態（イオン化）にさせる。
【００４５】
そして、一方の異方性磁気体である永久磁石７と他方の異方性磁気体である永久磁石７−１との磁極Ｎ−Ｓ間に６０００ガウスから８０００ガウスの磁界を発生させて、この磁界の磁気を接続管２４に印加することで起電力を発生させて、帯電体をイオン化させる。
【００４６】
このように、炭化水素化合物、硫黄化合物等の結合を切離状態（イオン化）にさせ、また、帯電体をイオン化させて、炭化水素化合物、硫黄化合物等の分解、削減が促進されるようになる。
【００４７】
このように処理対象としての液体燃料は磁気処理本体Ａ−１により処理される。一対の永久磁石７、７−１を向かい合わせることで磁場を発生させているために、液体燃料の流れを直角に貫く磁気力が強く、また、磁石保持ケース３、３−１の角部は、曲げ角度が５６度以上のアールにしてあるために、外部への磁力線の漏洩が皆無になって、液体燃料の磁気処理化を円滑に行うことができ、磁力線の漏洩による他の制御装置への悪影響を押えることができる。
【００４８】
なお、外側管体２４Ａと内側管体２４Ｂとの組合せが、上記した金（Ａｕ）とチタン（Ｔｉ）の場合のみならず、金（Ａｕ）とアルミニウム（Ａｌ）の場合、プラチナ（Ｐｔ）とチタン（Ｔｉ）の場合、プラチナ（Ｐｔ）とアルミニウム（Ａｌ）の場合、銀（Ａｇ）とチタン（Ｔｉ）の場合、銅（Ｃｕ）とチタン（Ｔｉ）の場合等においても、上記した外側管体２４Ａと内側管体２４Ｂとの間に電位差が発生し、この電位差が炭化水素化合物、硫黄化合物等の結合を切離状態（イオン化）にさせる。
【００４９】
燃料処理装置Ａは、他の燃料電池に適用可能である。
【００５０】
すなわち、燃料が液体で取り扱いが容易なメタノールを用いる場合の燃料改質装置４２−１では、メタノールと水蒸気を反応させて水素を取り出す水蒸気改質、空気を添加してメタノールを燃やしながら改質する部分酸化改質、水蒸気改質と部分酸化改質とを組み合わせた併用改質がある。
【００５１】
水蒸気改質は、図７に示すように気化器５０の内部にメタノールと水とを取り入れて熱により水を蒸発させ、改質器５１でメタノールと水蒸気とを反応させて改質を行い、改質器５１での燃料改質で発生した一酸化炭素ＣＯを１段目として高温ＣＯ選択酸化器５２、２段目としてて低温ＣＯ選択酸化器５３を用いて低減させるようにしてある。この場合、気化器５０の内部で水を蒸発させる熱源を、触媒燃焼器５４でオフガス、メタノール等を燃焼用空気で燃やして熱媒体油を加熱し、この熱媒体油から得るようにしている。
【００５２】
水蒸気改質、部分酸化改質及び併用改質のいずれにせよ、燃料に液体で取り扱いが容易なメタノールを使用しており、このメタノールの供給は燃料供給パイプ（燃料供給路）４６−１を用いて行われており、この燃料供給パイプ４６−１に上記した燃料処理装置Ａが設けてある。
【００５３】
したがって、上記した燃料にガソリンを用いる場合と同様に、炭化水素化合物、硫黄化合物等の結合を切離状態（イオン化）にさせ、また、帯電体をイオン化させて、炭化水素化合物、硫黄化合物等の分解、削減が促進されるようになる。
【００５４】
このように、液体燃料を磁力と流動と電位差により細分化し且つイオン化して、液体燃料の改質の向上を促進させることができる。
【００５５】
また、燃料処理装置Ａは、燃料電池を用いた電力発生システムに適用可能である。
【００５６】
すなわち、この電力発生システム（コージェネレーション電力発生システム）は、図８に示すように燃料改質処理系６０と、電力変換系６１と、冷却水系６２と、排熱回収系６３との組み合わせで構成してある。
【００５７】
燃料改質処理系６０は、ガソリンなどの燃料（液体燃料）を供給する燃料供給装置６３と、燃料を水素リッチ（水素が豊富）なガスに改質する燃料改質装置６４と、水素リッチなガス中の水素と空気中の酸素とを電気化学的に反応させて発電する燃料電池本体６５とを備えており、電力変換系６１は、燃料電池本体６４で発電された直流電力を交流電力に変換する電力変換装置（インバータ）６６を備えている。
【００５８】
また、冷却水系６２は、冷却水を循環させて燃料電池本体６５を冷却するものである。排熱回収系６３は排熱回収装置６７を備えており、発電の際に発生する熱を暖房や給湯等に利用するものである。
【００５９】
そして、燃料供給装置６３の燃料出口側は燃料供給パイプ（燃料供給路）４６−２を介して燃料改質処理系６０の燃料改質装置６４の燃料供給側に接続してあり、この燃料供給パイプ４６−２に燃料処理装置Ａが設けてある。
【００６０】
したがって、上記した燃料にガソリンを用いる場合と同様に、炭化水素化合物、硫黄化合物等の結合を切離状態（イオン化）にさせ、また、帯電体をイオン化させて、炭化水素化合物、硫黄化合物等の分解、削減が促進されるようになる。
【００６１】
このように、液体燃料を磁力と流動と電位差により細分化し且つイオン化して、液体燃料の改質の向上を促進させることができる。このために、液体燃料としてのガソリン、メタノール等を燃料電池で利用しやすくすることができて、経済的な発電が可能な電力発生システムが提供できる。
【００６２】
【発明の効果】
以上説明したように、本発明に係る燃料電池によれば、燃料が有する炭素水素化合物、硫黄化合物等を、燃料自体が有する流速と磁気力により細分化し且つイオン化して、燃料改質手段による燃料の改質の向上を促進させることができる。
【００６３】
そして、燃料が、例えば、ガソリンのような液体燃料の場合でも、このガソリンを燃料電池の燃料として使用することが可能になる。
【００６４】
また、本発明に係る燃料電池によれば、液体燃料に、例えば、毎秒１．２ｍから１．６ｍの流速を与えることで、この液体燃料が流れる管路内で、液体燃料である炭化水素化合物、液体燃料が含む硫黄化合物等に微量に含有する金属元素（カルシウム、ナトリウム、マグネシウム、カリウム、アルミニュム、鉄、チタン）等の帯電体（荷電粒子）に、静電気（例えば、毎秒１．２ｍでは０．０６ｍＡ、流速毎秒１．６ｍでは０．０８ｍＡ）が発生し、接続管において外側管体と内側管体との間に電位差が発生することで炭化水素化合物、硫黄化合物等の結合を切離状態（イオン化）にさせると共に、一方の異方性磁気体と他方の異方性磁気体との磁極間に、例えば６０００ガウスから８０００ガウスの磁界の磁気を接続管に印加することで起電力を発生させて帯電体をイオン化させることができる。
【００６５】
このように、炭化水素化合物、硫黄化合物等の結合を切離状態（イオン化）にさせ、また、帯電体をイオン化させて、炭化水素化合物、硫黄化合物等の削減が促進されるようになり、燃料改質手段による燃料の改質の向上を促進させることができる。
【００６６】
また、本発明に係る燃料電池によれば、外側管体が、単極電位がプラス電位の一価と二価の物理化学的性質を有する非鉄金属管で構成されており、内側収容体が、単極電位がマイナス電位で一価の物理化学的性質を有する非鉄金属管で構成されているために、２種類の非鉄金属のそれぞれが有する電位（Ｈ＝０Ｖ基準の標準電位）の差（電位差）を確実に発生させることができる。このために、より炭化水素化合物、硫黄化合物等の結合を切離状態（イオン化）にさせることができる。
【００６７】
また、本発明に係る燃料電池によれば、２種類の非鉄金属が、金（Ａｕ）とチタン（Ｔｉ）の場合、金（Ａｕ）とアルミニウム（Ａｌ）の場合、プラチナ（Ｐｔ）とチタン（Ｔｉ）の場合、プラチナ（Ｐｔ）とアルミニウム（Ａｌ）の場合、銀（Ａｇ）とチタン（Ｔｉ）の場合、銅（Ｃｕ）とチタン（Ｔｉ）の場合のいずれか一つであることにより、２種類の非鉄金属のそれぞれが有する電位（Ｈ＝０Ｖ基準の標準電位）の差（電位差）を確実に発生させることができる。このために、より炭化水素化合物、硫黄化合物等の結合を切離状態（イオン化）にさせることができる。
【００６８】
また、本発明に係る電力発生システムによれば、液体燃料としてのガソリン、メタノール等を燃料電池により利用しやすくすることができて、経済的な発電が可能な電力発生システムを提供することができる。
【図面の簡単な説明】
【図１】本発明に係る燃料電池の構成説明図である。
【図２】燃料処理装置の斜視図である。
【図３】同燃料処理装置の側面図である。
【図４】図３のＸ−Ｘ線に沿う断面図である。
【図５】同燃料処理装置における磁気処理体の正面図である。
【図６】同磁気処理体の一部省略した斜視図である。
【図７】燃料処理装置を備えた燃料改質装置の構成説明図である。
【図８】本発明に係る電力発生システムの構成説明図である。
【符号の説明】
１　　　　　一方の磁気処理体
２　　　　　他方の磁気処理体
３　　　　　一方の磁石保持ケース
３−１　　　他方の磁石保持ケース
３ａ　　　　合せ目
３ａ−１　　合せ目
６　　　　　溝部
６−１　　　溝部
７　　　　　一方の永久磁石（一方の異方性磁気体）
７−１　　　他方の永久磁石（他方の異方性磁気体）
２４　　　　接続管
２４Ａ　　　外側管体
２４Ｂ　　　内側管体
４０　　　　燃料電池
４１　　　　燃料供給装置（燃料供給手段）
４２　　　　燃料改質装置（燃料改質手段）
４３　　　　燃料電池本体
４６　　　　燃料供給パイプ（燃料供給路）
Ａ　　　　　燃料処理装置
【図１】
2004119358.tif 000003
【図２】
2004119358.tif 000004
【図３】
2004119358.tif 000005
【図４】
2004119358.tif 000006
【図５】
2004119358.tif 000007
【図６】
2004119358.tif 000008
【図７】
2004119358.tif 000009
【図８】
2004119358.tif 000010